(57)【要約】      （修正有）【課題】実弾射撃訓練場における標的の後方に配置して弾丸を回収するためのバックストップであって、製造やメンテナンスをさらに簡易化したバックストラップを提供する。【解決手段】標的側に位置させた複数の標的用バックストップ４０と、その標的用バックストップ４０における反標的側に位置させた複数の標的外バックストップ５０と、標的用バックストップ４０および標的外バックストップ５０を吊り下げて支持するための支持体６０と、を備える。標的用バックストップ４０は、可撓性および弾性のある素材を主材として複数枚の板材４１をその厚さ方向に重ね、その板材４１における上下端部付近において支持体６０に吊り下げるための吊り下げ孔４２と、その吊り下げ孔４２および支持体６０とを連結する吊り下げ紐４３とを備える。【選択図】図１
0003172350.tif 000002
【実用新案登録請求の範囲】
【請求項１】
実弾射撃訓練場における標的の後方に配置して弾丸を回収するためのバックストップであって、
標的側に位置させた複数の標的用バックストップと、
その標的用バックストップにおける反標的側に位置させた複数の標的外バックストップと、
前記の標的用バックストップおよび前記の標的外バックストップを吊り下げて支持するための支持体と、
を備え、
前記の標的用バックストップは、可撓性および弾性のある素材を主材として複数枚の板材をその厚さ方向に重ね、
その板材における上下端部付近において前記の支持体に吊り下げるための吊り下げ部と、
その吊り下げ部および前記の支持体とを連結する連結部と
を備えて形成したバックストップ。
【請求項２】
前記の標的外バックストップは、可撓性および弾性のある素材を主材とした複数枚の板材をその厚さ方向に重ね、
その板材における上下端部付近において前記の支持体に吊り下げるための吊り下げ部と、
その吊り下げ部および前記の支持体とを連結する連結部と、を備えることとした請求項１に記載のバックストップ。
【請求項３】
標的用バックストップにおいて厚さ方向に重ねることとした複数枚の板材の間に、不燃性の布を挟むこととした請求項１または請求項２のいずれかに記載のバックストップ。
【請求項４】
標的外バックストップは、標的外バックストップ用板材の一組を標的および標的用バックストップを結んだ延長上に位置させ、その左右には、別の標的外バックストップ用板材の二組を部分的に重ねて位置させることとした請求項１から請求項３のいずれかに記載のバックストップ。
【考案の詳細な説明】
【技術分野】
【０００１】
本考案は、実弾射撃訓練場で標的の後方に配置して弾丸を回収するために用いるバックストップ（停弾装置）に関する。特に、製造やメンテナンスを簡易化し、メンテナンス作業者の作業も簡易化できるバックストップに関する。
【背景技術】
【０００２】
広く普及しているバックストップ（停弾装置）は、標的の後方に鋼板を、当たった弾丸が床面に向かうよう傾斜させて、配置している。この鋼板によるバックストップでは、当たった弾丸が破砕してしまうことも多いため、回収しての再利用が困難である。
訓練用弾丸の材質に鉛製のものを採用することが多く、飛散した鉛で射撃訓練場の内外、特に射撃訓練場内が汚染されるという問題がある。
この問題を解決するものとして、弾丸を捕捉する粒状部材（たとえば木材チップ）を堆積した停弾層を備えたバックストップが提案されている。
【０００３】
具体的な構成としては、例えば、特許文献１に開示されている。
すなわち、停弾層を傾斜した支持面上に設け、停弾層の標的側表面を着脱可能なラバーで被覆する。この表面ラバーは、銃口と標的の外縁を結ぶ直線の延長線が停弾装置表面と交差する交点で囲まれた領域（被弾が集中する領域）とそれ以外の部分を別体とする。  このように形成することによって、被弾が集中する領域のみを交換可能に構成した停弾装置（バックストップ）である。
【０００４】
さて、特許文献１に記載された、弾丸を補足するチップなどの粒状部材を堆積した停弾層を備えてなるバックストップでは、次のような課題が存在していた。  第一に、傾斜した支持面上に停弾層を設けるために奥行き寸法が必要であり、結果として停弾装置全体が大型化してしまう。  また、集中被弾領域のみを交換するような構成を採用しているものの、表面ラバーも傾斜配置しているので、集中被弾領域もかなり広い面積を有するために重く、交換作業に労力を要する。
【０００５】
前述のような課題を解決するため、特許文献２（図４および図５）に開示された技術が提供された。
すなわち、『弾丸貫通孔を閉塞する合成樹脂材またはゴム材からなる標的の大きさに応じた大きさの板材４，５を、弾丸の貫通を阻止しうるに十分な枚数重ねて、前面を開放した機体２の支持棒３にほぼ垂直に吊り下げて支持し、前面側の複数枚の板材４における弾丸が集中して入射する部分を、板材４に設けた標的の入射目標部に対応位置する孔部と、この孔部に着脱可能に装着する交換部１０とによって、他の部分から分離して交換可能に構成』したバックストップである。
【先行技術文献】
【特許文献】
【０００６】
【特許文献１】特開２００５−１８８８９４号公報
【特許文献２】実用新案登録第３１３５９６４号公報
【考案の概要】
【考案が解決しようとする課題】
【０００７】
特許文献２に開示された技術について、図５を用いて更に説明する。
図５（Ａ）に示すように、板材４にはサイコロの目と同様に配置した５つの孔部９を設け、これらの孔部９は円形の周面に周方向に等間隔をおいて３つの凹入部８を形成してなる。  また、図５（Ｂ）に示すように、交換部１０は、同心円状に一体的に形成した円形の前面版１１と係止板１２とからなる。前面板１１は完全な円形板であり、係止板１２の前記前面板１１とは反対側端の周面には、周方向に等間隔をおいて、凹入部８に倣った形状の３つの係止突部１３を径方向に突設している。
【０００８】
このように、板材４も交換部１０も複雑な形状をしており、製造が簡易とは言えない。  また、交換部１０の取り替え作業も支持棒３から板材４を降ろし、交換部１０を回転させて外し、新たな交換部１０を回転させて装着する、といった作業が必要となる。
本願考案が解決しようとする課題は、製造やメンテナンスをさらに簡易化したバックストップを提供することにある。
【課題を解決するための手段】
【０００９】
（第一の考案）
本願における考案は、実弾射撃訓練場における標的の後方に配置して弾丸を回収するためのバックストップ(30)に係る。
すなわち、標的側に位置させた複数の標的用バックストップ(40,40,・・)と、  その標的用バックストップ(40,40,・・)における反標的側に位置させた複数の標的外バックストップ(50,50,・・)と、  前記の標的用バックストップ(40,40,・・)および標的外バックストップ(50,50,・・)を吊り下げて支持するための支持体(60,60,・・)と、を備える。
前記の標的用バックストップ(40)は、可撓性および弾性のある素材を主材として複数枚の板材(41,41)をその厚さ方向に重ね、  その板材(41,41)における上下端部付近において前記の支持体(60)に吊り下げるための吊り下げ部(吊り下げ孔42,42,・・)と、  その吊り下げ部(42,42,・・)および前記の支持体(60)とを連結する連結部（吊り下げ紐43,43,・・）とを備えて形成する。
【００１０】
（用語説明）
「吊り下げ部」は、「連結部」が紐状の部材である場合には、板材(41)を貫通する単なる貫通孔でもよいし、板材(41)に埋設固定した紐状の部材を固定するための突片などでもよい。
「連結部」は、紐状の部材（鋼製のワイヤなど）の他、ボルトおよびナットなどの締結部材を用いたものなどがある。
【００１１】
（作用）
実弾射撃訓練場において、射撃者が標的を狙って実弾を射撃する。  標的を貫通した実弾は、複数枚の板材(41,41)が一組となって吊り下げられている標的用バックストップ(40,40,・・)のいずれかまで達して止まる。可撓性および弾性のある素材（一般的には合成ゴム）なので、実弾には傷が付かない。ある板材(41)を実弾が貫通した直後に運動エネルギを使い切った場合には、その板材(41)の下方へ落下することとなる。
極めて運動エネルギの大きな実弾の場合には、標的用バックストップ(40,40,・・)の全てを貫通する場合がありえるが、その場合でも標的外バックストップ(50,50,・・)が更に存在するので、安全性は確保されている。
標的を外してしまった実弾は、標的外バックストップ(50,50,・・)に直接当たることとなるが、この場合も複数の標的外バックストップ(50,50,・・)のいずれかまで達して止まる。
【００１２】
射撃者が実弾を発射した銃と標的とを結ぶ直線の延長上が、板材(41)において最も消耗する部位となる。消耗したまま使い続けると実弾を停める作用が弱まるので交換の必要がある。  その場合、まず、支持体(60)から消耗した板材(41)を外し、その連結部(42)から吊り下げ部(43)も外す。  板材(41)のそれぞれには、上下の双方に吊り下げ部を備えているので、その板材(41)の上下を逆転させてから連結部(42)に吊り下げ部(43)を取り付け、吊り下げ部(43)を用いて支持体(60)へ吊り下げる。
板材(41)における消耗の具合が左右非対称であれば、板材(41)の上下を逆転させることなく左右を入れ替えるだけでよい場合もある。  上下左右の入れ替えをしてなお消耗した板材(41)は、交換することとする。
以上のように、単純な形状をなす板材(41,41,・・・51,51,・・・)の組み合わせにてバックストップの主要部を構成できるので，製造は簡易である。  また、板材(41)の消耗に対するメンテナンスにおいて、板材(41)そのものを交換する前に、上下左右の入れ替えという単純で簡単な作業で対応できる。
【００１３】
（第一の考案のバリエーション１）
第一の考案は、以下のように構成することもできる。
すなわち、前記の標的外バックストップ(50)は、可撓性および弾性のある素材を主材とした複数枚の板材(51,51)をその厚さ方向に重ねる。  そして、その板材(51,51)における上下端部付近において前記の支持体(60)に吊り下げるための吊り下げ部(吊り下げ孔52,52,・・)と、  その吊り下げ部(52,52,・・)および前記の支持体(60)とを連結する連結部（吊り下げ紐53,53,・・）と、を備えることとしてもよい。
【００１４】
（作用）
標的外バックストップ(50)もまた、標的用バックストップ(40,40,・・)と同様の構成としたので、交換というメンテナンスの前に上下左右の入れ替えという単純で簡単な作業で対応できる。
【００１５】
（第一の考案のバリエーション２）
第一の考案は、標的用バックストップ(40)において厚さ方向に重ねることとした複数枚の板材(41,41)の間に、不燃性の布を挟むこととしてもよい。
この「不燃性の布」は、たとえば、特殊繊維シートであり、ケプラー綿のシートなどが挙げられる。
【００１６】
（第一の考案のバリエーション３）
第一の考案は、以下のように形成してもよい。
すなわち、標的外バックストップ(50,50,・・)は、標的外バックストップ用板材(51,51)の一組(50A)を標的および標的用バックストップ(40,40,・・)を結んだ延長上に位置させ、その左右には、別の標的外バックストップ用板材(51,51)の二組(50B,50C)を部分的に重ねて位置させることとする。
【００１７】
（作用）
標的外バックストップ(50,50,・・)は、標的用バックストップ(40)を外れた実弾を捕捉することにある。
標的および標的用バックストップを結んだ延長上に位置させた標的外バックストップ用板材(51,51)の一組(50A)を部分的に重ね、別の標的外バックストップ用板材(51,51)の二組(50B,50C)を部分的に重ねて位置させたことで、標的外バックストップ(50,50,・・)が、左右方向の広い面積をカバーすることができる。
【考案の効果】
【００１８】
第一の考案によれば、製造やメンテナンスをさらに簡易化したバックストップを提供することができた。
【図面の簡単な説明】
【００１９】
【図１】本考案の実施形態に係るバックストップを示す斜視図図である。
【図２】本考案の実施形態に係るバックストップの主要部を示す斜視図図である。
【図３】本考案の実施形態に係るバックストップの主要部を示す斜視図図である。
【図４】従来技術を示す正面図および側面図である。
【図５】従来技術における主要部を示す正面図および側面図である。
【考案を実施するための形態】
【００２０】
以下、本考案の第一の実施形態に係るバックストップについて図面を参照して説明する。ここで使用する図面は、図１から図３である。  図１は、バックストップの全体を示しており、図２、図３は、部分的に示している。
【００２１】
図１に示すバックストップ３０は、図示を省略しているひとつの標的に対して準備されたバックストップである。
すなわち、標的側に位置させた四組の標的用バックストップ４０と、  その標的用バックストップ４０における反標的側に位置させた四組の標的外バックストップ５０と、  前記の標的用バックストップ４０および標的外バックストップ５０を吊り下げて支持するための支持体６０と、を備える。
標的外バックストップ５０の方が、標的用バックストップ４０よりも上下方向寸法がやや長い。ただ、四組の標的用バックストップ４０および四組の標的外バックストップ５０の全て、上端の位置をそろえているため、四組の標的外バックストップ５０は下方に延び、その下端が床面に接する直上付近に位置することとなる。
【００２２】
図２に示すように、一組の標的用バックストップ４０は、可撓性および弾性のある素材を主材として二枚の板材４１，４１をその厚さ方向に重ねている。  それぞれの板材４１，４１には、上下端部付近において前記の支持体６０に吊り下げるための吊り下げ孔４２を４カ所ずつ備えている。  そして、その吊り下げ部４２のうちの上側に位置した四カ所に吊り下げ紐４３を通し、その吊り下げ紐４３を前記の支持体６０へ掛け渡すことで、支持体６０へ吊り下げている。
【００２３】
図３に示すように、前記の標的外バックストップ５０もまた、可撓性および弾性のある素材を主材とした二枚の板材５１，５１をその厚さ方向に重ね、その二枚重ねの板材５１，５１の一組を標的および標的用バックストップ４０を結んだ延長上に位置させる。そして、その左右には、二枚重ねの板材５１，５１の二組を、部分的に重ねて位置させる。
それぞれの板材５１，５１には、上下端部付近において前記の支持体６０に吊り下げるための吊り下げ孔５２を４カ所ずつ備えている。  そして、その吊り下げ部５２のうちの上側に位置した四カ所に吊り下げ紐５３を通し、その吊り下げ紐５３を前記の支持体６０へ掛け渡すことで、支持体６０へ吊り下げている。
【００２４】
板材４１，５１は、いずれも板厚１０〜３０ミリメートルの合成ゴム製であり、形状も長方形をなしていればよい。したがって、製造は容易である。板材４１，５１の横方向寸法をそろえれば、標的用バックストップ４０の板材４１と標的外バックストップ５０の板材５１との相違は縦方向寸法のみである。
また、板厚が薄い、たとえば１０ミリのものを採用した場合、板材４１，５１が軽くなるので、組み立て作業、メンテナンス作業が容易になる。
【００２５】
板材４１，４１を二枚で一組としたが、複数枚複数組であればよい。板厚が薄いものは三枚以上を一組としてもよい。
なお、板材４１，４１の間には、不燃性の布を挟ませ、各種の機能の向上を図ってもよい。たとえば、目の粗い特殊繊維シートを採用することで、衝撃吸収機能や消音機能を向上させる。
【００２６】
実弾射撃訓練場において、射撃者が標的を狙って実弾を射撃する。  標的を貫通した実弾は、二枚の板材４１，４１が一組となって四組が吊り下げられている標的用バックストップ４０のいずれかまで達して止まる。可撓性および弾性のある素材（一般的には合成ゴム）なので、実弾には傷が付かない。ある板材４１を実弾が貫通した直後に運動エネルギを使い切った場合には、その板材４１の下方へ落下することとなり、容易に回収できる。
極めて運動エネルギの大きな実弾の場合には、標的用バックストップ４０の全てを貫通する場合がありえるが、その場合でも標的外バックストップ５０が更に存在するので、安全性は確保されている。
標的を外してしまった実弾は、標的外バックストップ５０に直接当たることとなるが、この場合も四組の標的外バックストップ５０のいずれかまで達して止まる。
【００２７】
射撃者が実弾を発射した銃と標的とを結ぶ直線の延長上が、板材４１において最も消耗する部位となる。消耗したまま使い続けると実弾を停める作用が弱まるので交換の必要がある。  その場合、まず、支持体６０から消耗した板材４１を外し、その吊り下げ紐４３を吊り下げ孔４２から外す。板材４１のそれぞれには、上下の双方に吊り下げ孔４２を備えているので、その板材４１の上下を逆転させてから吊り下げ孔４２に吊り下げ紐４３を取り付け、支持体６０へ吊り下げる。
【００２８】
板材４１における消耗の具合が左右非対称であれば、板材４１の上下を逆転させることなく左右を入れ替えるだけでよい場合もある。  上下左右の入れ替えをしてなお消耗した板材４１は、交換することとする。
以上のように、単純な形状をなす板材４１，５１の組み合わせにてバックストップの主要部を構成できるので，製造は簡易である。  また、板材４１の消耗に対するメンテナンスにおいて、板材４１そのものを交換する前に、上下左右の入れ替えという単純で簡単な作業で対応できる。
【符号の説明】
【００２９】
１；バックストップ            ２；機体
３；支持棒
４，５，６；板材
７；透孔                      ８；凹入部
９；孔部
１０；交換部                  １１；前面板
１２；係止板                  １３；係止突部
２０；標的                    ２２；入射目標部
４０；標的用バックストップ    ４１；板材
４２；吊り下げ孔              ４３；吊り下げ紐
５０；標的外バックストップ
５０Ａ，５０Ｂ，５０Ｃ；標的外バックストップ用の板材の組
５１；板材
５２；吊り下げ孔              ５３；吊り下げ紐
６０；支持体
【図１】
0003172350.tif 000003
【図２】
0003172350.tif 000004
【図３】
0003172350.tif 000005
【図４】
0003172350.tif 000006
【図５】
0003172350.tif 000007